(57)【要約】【課題】  イベントに関するリアルタイムな開催情報に基づき混雑を予測する「ナビゲーション装置」を提供する。【解決手段】  ナビゲーション装置は、イベントの開催情報およびイベント開催時に混雑が予測される混雑情報を事前に記憶するデータベース（ステップＳ１、２）と、イベント開催に関するリアルタイム情報を取得する手段（ステップ３）と、リアルタイム情報と事前に記憶された開催情報とを比較し、比較結果に基づき混雑情報を更新し、渋滞予測情報を作成する手段(ステップ４)と、渋滞予測情報に基づき目的地までのルート探索を行う手段（ステップ５）とを有する。【選択図】  図１
2006226977.tif 000002
【特許請求の範囲】
【請求項１】
ナビゲーション機能を備えた電子装置であって、
イベントの開催情報およびイベント開催時に混雑が予測される混雑情報を事前に記憶する記憶手段と、
イベントに関する実際の開催情報を取得する取得手段と、
実際の開催情報と事前に記憶された開催情報とを比較し、比較結果に基づき混雑情報を更新し、渋滞予測情報を作成する渋滞予測情報作成手段と、
渋滞予測情報に基づき目的地までのルート探索を行うルート探索手段と、
を有する電子装置。
【請求項２】
ルート探索手段は、新たに渋滞予測情報が作成されたとき、再ルート探索を行う、請求項１に記載の電子装置。
【請求項３】
取得手段は、事前に記憶されたイベントの開催情報を参照し、開催日が一致するイベントを選択し、選択されたイベントに関する実際の開催情報を取得する、請求項１に記載の電子装置。
【請求項４】
取得手段は、事前に記憶されたイベントの開催情報を参照し、開催時間帯が一致するイベントを選択し、選択されたイベントに関する実際の開催情報を取得する、請求項１または３に記載の電子装置。
【請求項５】
混雑情報は、イベントに関連して混雑が予測される道路および混雑時間を含む、請求項１に記載の電子装置。
【請求項６】
渋滞予測情報は、実際の開催情報に基づき、混雑情報の道路または混雑時間の少なくとも一方を更新する、請求項１ないし５いずれか１つに記載の電子装置。
【請求項７】
ナビゲーション装置におけるルート探索方法であって、
イベントの開催情報およびイベント開催時に混雑が予測される混雑情報を事前に記憶するステップと、
イベントに関する実際の開催情報を取得するステップと、
実際の開催情報と事前に記憶された開催情報とを比較し、比較結果に基づき混雑情報を更新し、渋滞予測情報を作成するステップと、
渋滞予測情報に基づき目的地までのルート探索を行うステップと、
を有するルート探索方法。
【請求項８】
ルート探索方法はさらに、渋滞予測情報に含まれるリンクに対しルート探索計算時の重み付けをするステップを含む、請求項７に記載のルート探索方法。
【請求項９】
ナビゲーション装置と、ナビゲーション装置と通信可能なサーバとを含むナビゲーションシステムであって、
サーバは、
イベントの開催情報およびイベント開催時に混雑が予測される混雑情報を事前に記憶する記憶手段と、
イベントに関する実際の開催情報を取得する取得手段と、実際の開催情報と事前に記憶された開催情報とを比較し、比較結果に基づき混雑情報を更新し、渋滞予測情報を作成する渋滞予測情報作成手段と、
ナビゲーション装置から渋滞予測情報の要求があったときに当該渋滞予測情報をナビゲーション装置に送信する送信手段と、
を有するナビゲーションシステム。
【請求項１０】
ナビゲーション装置は、送信された渋滞予測情報に基づき目的地までのルートを探索するルート探索手段を有する、請求項９に記載のナビゲーションシステム。
【発明の詳細な説明】
【技術分野】
【０００１】
本発明は、ナビゲーション装置に関し、特に、リアルタイムなイベントの開催情報に基づき混雑予測情報を作成し、ルート探索を行うナビゲーション装置に関する。
【背景技術】
【０００２】
ナビゲーション装置は、自車位置を検出し、自車位置周辺の地図データをディスプレイに描画するとともに、地図上に車両マークを重ねて表示し、自車位置が変化すると、それに併せて地図をスクロールさせ道路地図を案内する機能を有している。近年のナビゲーション装置は、インターネットやサーバと通信を行い、そこから事故や渋滞などの道路交通情報をダウンロードしたり、更新された地図データや施設データなどをダウンロードする機能を備えている。
【０００３】
事故や渋滞の道路交通情報を得ることで、ナビゲーション装置は、そのような道路を回避するルート探索を行い、目的地への到着時間の短縮を図っている。例えば、特許文献１に係るナビゲーション装置は、自車が走行中、道路の各所に設置された交通情報発信機からの交通情報を受信し、自車が走行している路線上に渋滞が発生しているか否かを判定し、発生しているときには、図８(ａ)に示すように渋滞発生箇所４０２を表示し、搭乗者に知らせる。また、図８（ｂ）に示すように、渋滞発生箇所４０２を回避する渋滞回避経路４０６を探索し、これを表示し、搭乗者に知らせている。
【０００４】
さらに、歩行者天国や花火大会等の交通規制情報は、事前に入手することができ、ある程度、統計的な手法により混雑を予測することができる。例えば、特許文献２に係るナビサーバは、交通情報提供センタから配信される渋滞情報やプローブカーによる渋滞情報などを蓄積し、季節や曜日、時間帯毎に各道路区間の平均渋滞時間や平均渋滞度などの渋滞統計情報を作成し、この渋滞統計情報をナビゲーション装置に提供し、これがルート探索に利用されている。
【０００５】
【特許文献１】特開平６−２０１３９３号
【特許文献２】特開２００４−２３４６４９号
【発明の開示】
【発明が解決しようとする課題】
【０００６】
しかしながら、統計的に得られた、またはデータベース化された渋滞情報が必ずしも現実の渋滞と一致しないことがある。例えば、野球の試合終了等によって発生する交通渋滞は、試合が予定通りに終了した場合には、ある程度予測できるが、試合が延長されて終了時間が遅れた場合には、渋滞予測が大きくはずれる可能性がある。この場合、渋滞が発生しているにもかかわらず、渋滞発生箇所を通過するルート探索が行われ、知らずに渋滞に突入してしまう。その結果、目的地への到着時間が大幅に遅れてしまうことがある。また、不定期に開催されるコンサート等のイベントの場合、来場者数を予測することは容易ではなく、かつ開催時間等も変動することがあり、事前に、道路の混雑等をデータベース化するのは難しいという問題がある。
【０００７】
本発明は、上記従来の課題を解決するためになされたもので、イベントに関するリアルタイムな開催情報に基づき混雑を予測するナビゲーション装置およびナビゲーションシステムを提供することを目的とする。
さらに本発明は、リアルタイムなイベントの開催情報に基づき事前の混雑情報を更新し、目的地までの最短ルートを探索することができるルート探索方法を提供することを目的とする。
【課題を解決するための手段】
【０００８】
本発明に係る、ナビゲーション機能を備えた電子装置は、イベントの開催情報およびイベント開催時に混雑が予測される混雑情報を事前に記憶する記憶手段と、イベントに関する実際の開催情報を取得する取得手段と、実際の開催情報と事前に記憶された開催情報とを比較し、比較結果に基づき混雑情報を更新し、渋滞予測情報を作成する渋滞予測情報作成手段と、渋滞予測情報に基づき目的地までのルート探索を行うルート探索手段とを有する。
【０００９】
本発明に係るナビゲーション装置におけるルート探索方法は、イベントの開催情報およびイベント開催時に混雑が予測される混雑情報を事前に記憶するステップと、イベントに関する実際の開催情報を取得するステップと、実際の開催情報と事前に記憶された開催情報とを比較し、比較結果に基づき混雑情報を更新し、渋滞予測情報を作成するステップと、渋滞予測情報に基づき目的地までのルート探索を行うステップとを有する。
【００１０】
さらに本発明に係るナビゲーションシステムは、ナビゲーション装置と、ナビゲーション装置と通信可能なサーバとを含み、サーバは、イベントの開催情報およびイベント開催時に混雑が予測される混雑情報を事前に記憶する記憶手段と、イベントに関する実際の開催情報を取得する取得手段と、実際の開催情報と事前に記憶された開催情報とを比較し、比較結果に基づき混雑情報を更新し、渋滞予測情報を作成する渋滞予測情報作成手段と、ナビゲーション装置から渋滞予測情報の要求があったときに当該渋滞予測情報をナビゲーション装置に送信する送信手段とを有する。
【発明の効果】
【００１１】
本発明に係るナビゲーション装置によれば、イベントに関する実際の開催情報を取得し、この情報に基づき事前に記憶された混雑情報を更新し、渋滞予測情報を作成するようにしたので、イベントの実際の状況に応じた高精度の渋滞予測が可能となる。また、ルート探索時に、このような渋滞予測情報を参照してルート探索を行うことで、できるだけ渋滞発生箇所を回避し、短時間で目的地に到達できるようなルート探索を行うことができる。
【発明を実施するための最良の形態】
【００１２】
以下、本発明の最良の実施の形態について図面を参照して詳細に説明する。
【実施例】
【００１３】
図１は、本発明のナビゲーション装置におけるイベント開催による渋滞予測の概念を説明する図であり、これらの動作は、大きくステップ１からステップ５までのフローにて行われる。
【００１４】
ステップ１：先ず、イベントに関するイベント開催情報をイベント開催情報データベース（ＤＢ）に記憶する。イベント開催情報は、例えば図２に示すように、イベント毎にイベント識別用ＩＤ（＃００１、＃００２、・・・＃００ｎ）が付与され、それぞれのイベントの開催日時、開催場所、内容（コンサート、花火大会、野球、競輪、競馬等）、開催時刻、終了時刻を含んでいる。例えば、＃００１のイベントは、野球であり、野球は、２００５年４月１０に、Ａ球場において、１８：００から２１：００まで開催される。
【００１５】
ステップ２：イベントによって混雑が予想される混雑情報を混雑情報データベース（ＤＢ）に記憶する。混雑情報は、例えば図３に示すように、イベント毎に、混雑が予想されるリンクＩＤ、交差点ノード、混雑時間帯および混雑レベルを記憶する。仮に、図４に示すように、駅近くで野球のイベントが開催されるとする。野球の開始時および終了時には、野球場Ｆから駅Ｓまたは駅Ｓから野球場Ｆに向かう道路１００には多くの人の流れＷが生じる。このため、道路１００と道路１０２が交差する部分において混雑Ａが発生する。また、野球場Ｆに最寄の駐車場Ｐがあると、駐車場Ｐと道路１０４の合流部分において混雑Ｂが発生する。
【００１６】
こうした場合、混雑情報のリンクＩＤには、混雑が予想される道路１００、１０２、１０４に相当するリンクＩＤ（ｌｉｎｋ＃１００、＃１０２、＃１０４で表示）が記憶される。また、混雑が予想される地点を表すために、交差点ノードとして、道路１００と道路１０２が交差するノードと、駐車場Ｐと道路１０４が交差するノードが記憶される。
【００１７】
混雑時間帯は、単一の時間帯であってもよいし、複数の時間帯であってもよい。例えば野球であれば、開始時間から終了するまでの時間（１８：００〜２１：００）とするか、あるいは開始時間を基準にした一定の時間帯（１７：３０〜１８：３０）と終了時間を基準にした一定の時間帯（２０：３０〜２１：３０）を記憶する。また、混雑レベルは、例えば、曜日、収容可能な来客人数、道路種別（例えば、道路の車線数）を考慮して決定することができる。
【００１８】
混雑情報は、基本的にはイベントの開催に依存するものであるが、統計的な渋滞情報を加味してもよい。例えば、野球場に隣接する道路１００、１０２、１０４の過去の曜日、時間、季節などの統計的な混雑情報を加味する。
【００１９】
ステップ３：再び図１に戻って、イベント開催情報ＤＢは、イベントに関するリアルタイム情報（実際の情報）と比較される。イベントのリアルタイム情報とは、例えば、イベントの実際の開催時刻、イベントの実際の進捗状況（例えば、野球の試合の進行など）、終了予定時刻、実際の来場者数などの情報を含む。これらのリアルタイム情報は、イベント運営会社等のホームページやその他のインターネットのウエブサイト等から入手することができる。また、そのようなイベントに関する情報配信を行っているサーバや、イベントに関するキーワード検索をしたウエブサイトから入手するようにしてもよい。
【００２０】
ステップ４：事前に記憶したイベント開催情報とリアルタイム情報とが異なるとき、リアルタイム情報により混雑情報が更新され、渋滞予測情報が作成される。渋滞予測情報は、リアルタイム情報を反映するものであり、イベント開催に伴う渋滞の場所と時間等を高精度に予測する。
【００２１】
例えば、リアルタイム情報が、野球の試合が延長を含むとき、野球の終了時刻が遅れることが予測される。この場合には、試合の進捗状況から試合終了時刻を変更し、混雑情報に含まれる混雑時間帯を変更する。また、来客人数が非常に少ないときには、渋滞が発生する時間帯を短くしたり、混雑レベルを低くしたり、混雑の発生する場所を混雑Ｂのみ（図４を参照）に変更する。さらに試合が中止になったときは、渋滞時間帯をキャンセルする。
【００２２】
ステップ５：ナビゲーション装置において、ルート探索を行う場合には、ステップ４で作成された渋滞予測情報を参照して、最適なルートを探索する。例えば、渋滞予測情報に含まれる渋滞発生場所を迂回するようなルートを探索したり、あるいは、ルート探索時のリンク計算において、渋滞発生場所のリンクコストが高くなるような重み付けをする。重み付けは、混雑レベルに応じて可変するようにしてもよい。
【００２３】
次に、車載用ナビゲーション装置の構成を図５に示す。ナビゲーション装置１は、ＧＰＳ衛星からの電波を受信して車両の現在位置と現在方位を測定するＧＰＳ受信機１０、自立航法用センサ１２、アンテナ１４を介して車両外部の現在の道路交通情報を受信するＶＩＣＳ・ＦＭ多重レシーバ１６、操作パネル２２、音声入力部２４およびリモコン操作部２６を含むユーザ入力インターフェース２０、大容量のハードディスクを有する記憶装置３０、無線または有線によりデータ通信を可能とするデータ通信制御部３２、スピーカ４２から音声を出力させる音声出力部４０、ディスプレイ５２に画像を表示させる表示制御部５０、種々のプログラムを記憶するプログラムメモリ６０、データを一時記憶するデータメモリ７０、および制御部８０を含んでいる。
【００２４】
好ましくは、記憶装置３０は、ナビゲーションの各種機能を実行するためのプログラムおよびデータベースを記憶する。プログラムは、図１に示したイベント開催による渋滞予測を実行するものや、ルート探索ならびにルート案内などナビゲーションの機能に必要なものを含んでいる。データベースは、地図データ、施設データ、および図２、図３に示したイベント開催情報および混雑情報等を含む。地図データは、道路に関するリンクデータおよび交差点データを含む。リンクデータは、交差点と交差点とを連結する道路に関するデータであり、道路の始点と終点の座標を示すノードデータおよび道路の種別（国道、一般道、県道など）を示す種別データを含んでいる。
【００２５】
データ通信制御部３２は、通信機能を内蔵するものでも良いし、携帯電話などの通信端末を接続するものであってもよい。データ通信制御部３２は、インターネットに接続し、所望のウエブサイトまたはサーバなどから、上記したイベント開催に関するリアルタイム情報などを取得する。
【００２６】
プログラムメモリ６０は、記憶装置３０に記憶されたプログラムをロードし、そこには、ルート探索を行うプログラム６２、ルート案内を行うプログラム６４、渋滞予測を行うプログラム６６等が格納される。データメモリ７０は、記憶装置３０から読み出した地図データ７２、ルート探索された経路データ７４、図２や図３に示したイベント開催情報や混雑情報７６、さらにはデータ通信制御部３２を介して取得されたリアルタイム情報７８等が記憶される。
【００２７】
次に、ナビゲーション装置において目的地までのルート探索をするときの動作について図６のフローを参照して説明する。ナビゲーション装置は、記憶装置３０に、図２および図３で示したようなイベント開催情報および混雑情報を事前に記憶する（ステップＳ１０１）。イベント開催情報および混雑情報は、例えば、イベント開催や渋滞情報の配信サービスを行っているサーバからダウンロードすることができる。あるいは、ナビゲーション装置において、イベント開催情報を入力し、これに基づき独自に混雑情報を作成するようにしてもよい。
【００２８】
ユーザが目的地を設定し、目的地までのルート探索を指示すると（ステップＳ１０２）、制御部８０は、記憶されたイベント開催情報を参照し、本日開催されるイベントがあるか否かを判別する（ステップ１０３）。開催日が一致するイベントが存在するとき、制御部８０は、現在位置からイベント開催地までのルートを探索し、イベント開催地までの予定到着時刻を算出する（ステップＳ１０４）。
【００２９】
制御部８０は、イベント開催情報を参照し、イベントの開催時刻および／または終了時刻から特定される開催時間帯に、予定到着時刻が合致するか否かを判別する（ステップＳ１０５）。この開催時間帯は、必ずしも開催時刻から終了時刻までに限らず、それに予め決められた一定のマージンを持たせ時間帯であっても良い。例えば、イベント開催情報の開催時刻が１７：００であり、終了時刻が２０：００であるとき、開催時間帯を、１６：００〜２１：００としてもよい。
【００３０】
次に、制御部８０は、データ通信制御部３２を介して、インターネット上のウエブサイトやサーバにアクセスし、該当するイベントに関するリアルタイム情報があるか否かを検索する（ステップＳ１０６）。検索は、予め決められたＵＲＬやサーバにアクセスしたり、あるいはイベントに関するキーワード検索を行い、そのウエブサイトにアクセスすることが可能である。
【００３１】
制御部８０は、イベント開催に関するリアルタイム情報を検索できたとき（ステップＳ１０７）、リアルタイム情報をダウンロードし（ステップＳ１０８）、これをデータメモリ７０に一時記憶する。制御部８０は、リアルタイム情報と事前に記憶されたイベント開催情報とを比較し、混雑情報を更新すべきか否かを判定する。上記したように、開催終了時刻が変更されるとき、来客数が非常に少ないときなど、イベントが中止になったときなどは、混雑情報を更新すべきと判定する（ステップＳ１０９）。
【００３２】
制御部８０は、混雑情報を更新すべきと判定すると、リアルタイム情報に「基づき渋滞予測情報を作成する（ステップ１１０）。渋滞予測情報は、リアルタイム情報を反映したものであり、イベントによる渋滞を高精度に予測する。渋滞予測情報は、図３に示した混雑情報を更新することができ、例えば、イベントの開催時間や終了時間が変更されたときは、それに応じて混雑時間帯を変更する。イベントが中止のときは、イベントによるすべての混雑情報をキャンセルする。この場合、統計的に得られている混雑情報だけに従うようにしてもよい。また、来客人数が一定数未満であるときは、大きな混雑がないと判定し、混雑時間帯を短縮したり、混雑レベルを小さくする。
【００３３】
制御部８０は、渋滞予測情報に基づき、該当するリンクのコストの重み付けを行い、現在位置から目的地までのルート探索を行う（ステップＳ１１１）。これにより、渋滞予測情報によって特定されたリンクを通過するルートは、コストが非常に大きくなり、最適なルートから除外される可能性が高くなる。あるいは、制御部８０は、渋滞予測情報によって特定されたリンクを必ず回避するようなルート探索を行うようにしてもよい。
【００３４】
一方、開催されるイベントがないときは（ステップＳ１０３、Ｓ１０５）、通常のアルゴリズムに従い目的地までのルートを探索する。また、リアルタイム情報が検索されないときは（ステップＳ１０７）、事前に記憶された混雑情報に基づきルート探索を行う。
【００３５】
探索されたルートは、ディスプレイ５２に表示される（ステップＳ１１２）。なお、探索されるルートは、距離、時間等を優先する複数のルートの表示が可能である。ユーザが所望のルートを選択することで、選択されたルートに従い目的地までのルート案内が開始される。
【００３６】
このように本実施例のナビゲーション装置では、事前にデータベース化されたイベント開催情報および混雑情報を、リアルタイムなイベント開催情報により更新して渋滞予想情報を作成するようにしたので、渋滞予測を高精度にて行うことができる。また、目的地までのルートの短縮を図ることができる。
【００３７】
なお、上記実施例では、ルート探索を行うときに、イベントに関するリアルタイム情報を取得するようにしたが、これに限らず、一定の時間毎に、イベントに関するリアルタイム情報を自動的に取得し、渋滞予測情報を定期的に作成することも可能である。そして、リアルタイム情報の取得により渋滞予測情報に変更があった場合には、自動的に目的地までの再ルート探索を行うようにする。
【００３８】
次に、本発明の第２の実施例について説明する。上記実施例では、ナビゲーション装置が、イベントに関するリアルタイム情報を取得し、それに基づき渋滞予測情報を作成するようにしたが、第２の実施例では、その機能をサーバに持たせている。
【００３９】
図７は、第２の実施例に係るナビゲーションシステムを示す図である。ナビゲーションシステムは、図５に示すハードウエア構成を有する車載用ナビゲーション装置１と、渋滞予測情報を提供するナビサーバ２００とを有する。ナビサーバ２００は、図２に示すイベント開催情報ＤＢ２１０と、図３に示す混雑情報ＤＢ２２０とを含み、必要に応じてイベントに関するリアルタイム情報２３０を取得する。そして、リアルタイム情報とイベント開催情報ＤＢ２１０とを比較し、比較結果に応じて混雑情報を更新し、渋滞予測情報２４０を作成する。
【００４０】
ナビゲーション装置１は、目的地までのルート探索を行うとき、渋滞予測情報２４０の送信を要求し、これに応答して、ナビサーバ２００は、渋滞予測情報２４０をナビゲーション装置１へ提供する。これ以外にも、ナビゲーション装置１から渋滞予測情報の要求があったとき、ナビサーバ２００は、イベントに関するリアルタイム情報を取得し、リアルタイム情報に基づき作成された渋滞予測情報を送信するようにしてもよい。さらに、ナビサーバ２００は、ナビゲーション装置１からの要求で使用した渋滞予測情報がリアルタイム情報により変化すると判断した場合、ナビゲーション装置１に対して自発的に渋滞予測情報の変更を通知するようにしてもよい。
【００４１】
このようにナビサーバ２００に、イベント開催によるリアルタイムな渋滞予測情報を作成する機能を与えることにより、複数の車載用ナビゲーション装置１〜１ｎに対し個別的な渋滞予測情報を集中管理して提供することができる。
【００４２】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００４３】
本発明に係るナビゲーション装置およびナビゲーションシステムは、車両等の移動体用ナビゲーション装置において利用される。
【図面の簡単な説明】
【００４４】
【図１】本発明のナビゲーション装置における渋滞予想の概念を説明する図である。
【図２】イベント開催情報を説明する図である。
【図３】混雑情報を説明する図である。
【図４】イベントとして野球が開催されたときの混雑情報を説明する図である。
【図５】本実施例のナビゲーション装置の構成を示すブロック図である。
【図６】ナビゲーション装置の動作を説明するフローチャートである。
【図７】本発明の第２の実施例に係るナビゲーションシステムを説明する図である。
【図８】従来の混雑発生箇所の表示および混雑発生箇所の回避の表示を示す図である。
【符号の説明】
【００４５】
１、１ｎ：ナビゲーション装置          ３０：記憶装置
３２：データ通信制御部                ６０：プログラムメモリ
７０：データメモリ                    ８０：制御部
１００、１０２、１０４：道路          Ａ、Ｂ：混雑
２００：ナビサーバ                    ２１０：イベント開催情報ＤＢ
２２０：混雑情報ＤＢ
【図１】
2006226977.tif 000003
【図２】
2006226977.tif 000004
【図３】
2006226977.tif 000005
【図４】
2006226977.tif 000006
【図５】
2006226977.tif 000007
【図６】
2006226977.tif 000008
【図７】
2006226977.tif 000009
【図８】
2006226977.tif 000010